(57)【要約】      （修正有）【課題】サイズの異なる巻尺掛けフックに適し、巻尺の滑脱を有効に防止できる巻尺引掛け金具を提供する。【解決手段】引掛け金具本体１を含み、引掛け金具本体１に第一カバーと第二カバー３を設け、第一カバーと第二カバー３で形成されたスペースは巻尺の掛けフック１６の差し込みに用いられ、第一カバーに開口Ａと開口Ｂが設けられ、引掛け金具本体１と第一カバーで形成されたスペースに弾力開閉装置及び弾力位置決め装置が設けられ、弾力開閉装置は第一ブロック、第一弾力部品及び弾力部品に作用するボタン７を含み、第一ブロックはボタン７によって開口Ａで伸縮でき、弾力位置決め装置は第二ブロックを含み、第二ブロックは第二弾力部品によって摺動的に引掛け金具本体１に接続され、第二ブロックの一部は第一カバーの開口Ｂを貫通して第一ブロックとで掛けフック１６を固定し、引掛け金具はサイズの異なる巻尺掛けフックに適し、巻尺の滑脱を防止する。【選択図】図２
2019023604.tif 000002
【特許請求の範囲】
【請求項１】
引掛け金具本体を含み、引掛け金具本体に第一カバーと第二カバーが設けられ、第一カバーと第二カバーで形成されたスペースは巻尺の掛けフックの差し込みに用いられ、第一カバーに開口Ａと開口Ｂが設けられ、引掛け金具本体と第一カバーで形成されたスペースに弾力開閉装置及び弾力位置決め装置が設けられ、弾力開閉装置は第一ブロック、第一弾力部品及び該弾力部品に作用するボタンを含み、第一ブロックはボタンの作用によって開口Ａで伸縮でき、弾力位置決め装置は第二ブロックを含み、第二ブロックは第二弾力部品によって摺動的に引掛け金具本体に接続され、前記第二ブロックの一部は第一カバーの開口Ｂを貫通して第一ブロックとで掛けフックを固定する、
ことを特徴とする巻尺引掛け金具。
【請求項２】
前記第一カバーと第二カバーは、引掛け金具本体に固設され、且つ第一カバーと第二カバーの一端は固定されて密封端が形成され、前記密封端は第二ブロックに近づき、他端は開口状をして巻尺掛けフック差し込み用差込口が形成され、前記差込口は第一ブロックに近づく、
ことを特徴とする請求項１に記載の巻尺引掛け金具。
【請求項３】
前記ボタンは引掛け金具本体と第一カバーとで形成されたスペースにおいてガイドロッドが延出され、前記ガイドロッドは第一弾力部品によって引掛け金具本体に当てられ、ガイドロッドに引掛け金具本体に合う止めブロックが設けられる、
ことを特徴とする請求項１に記載の巻尺引掛け金具。
【請求項４】
前記ガイドロッドに斜面を有する凹部が設けられ、第一ブロックに突出ブロックが延出され、前記突出ブロックとガイドロッドの凹部はガイドロッドの摺動によって第一ブロックを伸縮させる、
ことを特徴とする請求項３に記載の巻尺引掛け金具。
【請求項５】
前記第一ブロックは回転軸によって引掛け金具本体に枢着され、前記弾力開閉装置にさらに第一ブロックに復帰動力を提供するための第三弾力部品が設けられる、
ことを特徴とする請求項１に記載の巻尺引掛け金具。
【請求項６】
前記第二カバーに開口Ｃが設けられ、第一ブロックは開口Ａによって開口Ｃを貫通して且つ開口Ｃで伸縮することができる、
ことを特徴とする請求項１に記載の巻尺引掛け金具。
【請求項７】
前記第二カバーの先端は差込口に近いところで外反構造になる、
ことを特徴とする請求項２に記載の巻尺引掛け金具。
【請求項８】
前記開口Ｂは棒状を呈する、
ことを特徴とする請求項１に記載の巻尺引掛け金具。
【請求項９】
前記第一ブロックは回転本体と回転本体に凸設される突起部を含み、前記開口Ａは開口Ｃより大きく、前記第一ブロックの突起部は開口Ａによって開口Ｃを貫通する、
ことを特徴とする請求項６に記載の巻尺引掛け金具。
【請求項１０】
前記ボタンは引掛け金具本体と第一カバーで形成されたスペースでダクトＡとダクトＢが延出され、ダクトＡに斜面を有する凹部が設けられ、第一ブロックに突起が延出され、前記突出ブロックとガイドロッドＡの凹部はダクトＡとダクトＢの摺動によって第一ブロックを伸縮させ、第一ブロックは回転軸によって引掛け金具本体に枢着され、前記弾力開閉装置にさらに第一ブロックに復帰動力を提供するための第三弾力部品が設けられ、前記第三弾力部品の一端は第一ブロックに当てられ、他端は引掛け金具本体に当てられ、前記第二ブロックは引掛け金具本体内で自由に摺動できる摺動ロッド及び摺動ロッドに設けられて且つ開口Ｂを貫通する突起部を含み、第二ブロックは第二弾力部品によって第一ブロックとの間の距離を調整する、
ことを特徴とする請求項２に記載の巻尺引掛け金具。
【発明の詳細な説明】
【技術分野】
【０００１】
本発明は取り付け具に関し、具体的には巻尺引掛け金具に関する。
【背景技術】
【０００２】
巻尺引掛け金具は、巻尺の携帯に用いられ、裏部にベルト差込口が設けられ、前部に巻尺掛けフックを掛けるための引掛け金具が設けられる。現在市販されている巻尺引掛け金具について、従来技術の公開された引掛け金具は以下の二種類を含む。１、寸法の異なる掛けフックは寸法の異なる引掛け金具が必要である。２、特許文献１（実用新案出願番号ＣＮ２００８２００４１７５８）に巻尺クランプが開示され、特徴は、引掛け金具の後部にベルト掛け穴が設けられ、掛け穴の前部にクランプチップが設けられることである。巻尺をクランプチップに差し込むことで、巻尺を固定できるが、親指でクランプチップを押し、巻尺を掛けこむのに、かなりの力が必要となる。したがって、着脱しにくく、且つ引掛け金具が壊れやすくて緩みやすく、掛けフックをしっかりと固定することができない。
【先行技術文献】
【特許文献】
【０００３】
【特許文献１】中国実用新案第２０１２４８４７１号明細書
【発明の概要】
【発明が解決しようとする課題】
【０００４】
本発明は使いやすく、サイズの異なる巻尺掛けフックに適し、巻尺の滑脱を有効に防止できる巻尺引掛け金具を提供する。
【課題を解決するための手段】
【０００５】
巻尺引掛け金具であって、その特徴は以下のとおりである。引掛け金具本体を含み、引掛け金具本体に第一カバーと第二カバーが設けられ、第一カバーと第二カバーで形成されたスペースは巻尺の掛けフックの差し込みに用いられ、第一カバーに開口Ａと開口Ｂが設けられる。引掛け金具本体と第一カバーで形成されたスペースに弾力開閉装置及び弾力位置決め装置が設けられる。弾力開閉装置は第一ブロック、第一弾力部品及び該弾力部品に作用するボタンを含み、第一ブロックはボタンの作用によって開口Ａで伸縮できる。弾力位置決め装置は第二ブロックを含み、第二ブロックは第二弾力部品によって摺動的に引掛け金具本体に接続され、前記第二ブロックの一部は第一カバーの開口Ｂを貫通して第一ブロックとで掛けフックを固定する。
【０００６】
好ましくは、前記第一カバーと第二カバーは引掛け金具本体に固設され、且つ第一カバーと第二カバーの一端は固定されて密封端が形成され、前記密封端は第二ブロックに近づく。他端は開口状をして巻尺掛けフック差し込み用差込口が形成され、前記差込口は第一ブロックに近づく。
【０００７】
好ましくは、前記ボタンは引掛け金具本体と第一カバーとで形成されたスペースにおいてガイドロッドが延出され、前記ガイドロッドは第一弾力部品によって引掛け金具本体に当てられガイドロッドに引掛け金具本体に合う止めブロックが設けられる。
【０００８】
好ましくは、前記ガイドロッドに斜面を有する凹部が設けられ、第一ブロックに突起が延出され、前記突起とガイドロッドの凹部はガイドロッドの摺動によって第一ブロックを伸縮させる。
【０００９】
好ましくは、前記第一ブロックは回転軸によって引掛け金具本体に枢着され、前記弾力開閉装置にさらに第一ブロックに復帰動力を提供するための第三弾力部品が設けられる。
【００１０】
好ましくは、前記第二カバーに開口Ｃが設けられ、第一ブロックは開口Ａによって開口Ｃを貫通して且つ開口Ｃで伸縮することができる。
【００１１】
好ましくは、前記第二カバーの先端は差込口に近いところで外反構造になる。
【００１２】
好ましくは、前記開口Ｂは棒状を呈する。
【００１３】
好ましくは、前記第一ブロックは回転本体と回転本体に凸設される突起部を含み、前記開口Ａは開口Ｃより大きく、前記第一ブロックの突起部は開口Ａによって開口Ｃを貫通する。
【００１４】
好ましくは、前記ボタンは引掛け金具本体と第一カバーで形成されたスペースでダクトＡとダクトＢが延出され、ダクトＡに斜面を有する凹部が設けられ、第一ブロックに突起が延出され、前記突起とガイドロッドＡの凹部はダクトＡとダクトＢの摺動によって第一ブロックを伸縮させ、第一ブロックは回転軸によって引掛け金具本体に枢着され、前記弾力開閉装置にさらに第一ブロックに復帰動力を提供するための第三弾力部品が設けられ、前記第三弾力部品の一端は第一ブロックに当てられ、他端は引掛け金具本体に当てられ、前記第二ブロックは引掛け金具本体内で自由に摺動できる摺動ロッド及び摺動ロッドに設けられて且つ開口Ｂを貫通する突起部を含み、第二ブロックは第二弾力部品よって第一ブロックとの間の距離を調整する。
【発明の効果】
【００１５】
本発明は、上記の技術的解決手段を採用し、以下のメリット及び技術的効果を有する。
【００１６】
本発明は、弾力開閉装置及び弾力位置決め装置によって、第一ブロックと第二ブロックの距離を調整し、各サイズの巻尺掛けフックに適する。第一カバーと第二カバーの端部の一端が封じられ、他端が開口で差込口になり、利用者が引掛け金具の側面から掛けフックを差し込むのに役立つ。ガイドロッドと第一弾力部品によって、構造が強固で壊れにくくなる。ダクトの斜面を有する凹部と第一ブロックの延出された突出ブロックとで第一ブロックの伸縮を実現し、構造設計がシンプルで、製品が軽量で、携帯しやすい。第三弾力部品の設置は第一ブロックがしっかりと復帰されることを保証し、差込口の外反は利用者が差込口を見つけるのに役立ち、使いやすい。開口Ｃの設置は、第一カバーと第二カバーの間で形成されるスペースを小さくし、掛けフックの固定に役立つ。
【図面の簡単な説明】
【００１７】
【図１】巻尺掛けフックの構造イメージ図である。
【図２】巻尺掛けフックが巻尺引掛け金具に差し込まれる構造のイメージ図である。
【図３】巻尺引掛け金具の構造イメージ図である。
【図４】巻尺引掛け金具本体と第一カバーの構造イメージ図である。
【図５】巻尺引掛け金具の立体分解図である。
【図６】巻尺引掛け金具本体の構造イメージ図である。
【図７】巻尺引掛け金具本体の立体分解図である。
【図８】巻尺引掛け金具のダクトＡの凹部の構造イメージ図である。
【図９】巻尺引掛け金具の第二カバー内表面の構造イメージ図である。
【発明を実施するための形態】
【００１８】
以下に添付された図を参照しながら、本発明の好ましい実施例についてさらに説明する。
【００１９】
図２と図３のように、巻尺引掛け金具であって、引掛け金具本体１を含み、引掛け金具本体に第一カバー２と第二カバー３が設けられる。第一カバー２と第二カバー３で形成されたスペースは、巻尺の掛けフック１６の差し込みに用いられ、第一カバーに、開口Ａ２１と開口Ｂ２２が設けられる（図４又は図５参照）。引掛け金具本体１と第一カバー２で形成されたスペース４に、弾力開閉装置及び弾力位置決め装置が設けられる。弾力開閉装置は、第一ブロック５、第一弾力部品６及び該弾力部品に作用するボタン７を含み、第一ブロック５は、ボタン７の作用によって開口Ａ２１を伸縮できる。弾力位置決め装置は、第二ブロック８を含み、第二ブロック８は、第二弾力部品９によって摺動的に引掛け金具本体１に接続され、前記第二ブロック８の一部は、第一カバー開口Ｂ２２を貫通して第一ブロック５とで掛けフック１６を固定する（図４参照）。
【００２０】
図２のように、前記第一カバー２と第二カバー３は、引掛け金具本体１に固設され、且つ第一カバー２と第二カバー３の一端は固定されて密封端４１が形成される。ここでの固定方法は、ネジで固定することもできるし、その他の接続部品によって接続することもできる。前記密封端４１は、第二ブロック８に近づく。他端は、開口状をして巻尺掛けフック差し込み用差込口４２が形成され、前記差込口４２は、第一ブロック５に近づく。このように、引掛け金具の側面の差込口４２から差し込み、側面からの力によって第一ブロック５が引掛け金具本体内へ回転するようにし、それによって、第一ブロック５が第二カバー１開口２１を引き込め、掛けフックを容易に差し込むことができる。好ましくは、前記差込口が４５°の傾斜度あり、ヒトの利用習慣に合うようにする。
【００２１】
前記第一ブロック５の第一弾力部品６による開口Ａ２１での伸縮は、様々な形で実現できる。例えば、図５又は６のように、ボタン７は、引掛け金具本体１と第一カバー２とで形成されたスペース４においてガイドロッドが延出される。ガイドロッドは、第一弾力部品６によって引掛け金具本体１に当てられ、且つガイドロッドに止めブロック又はその他のガイドロッドにある止めブロックとの相互作用によって第一弾力部品６を復帰させるための部品が設けられる。且つ前記ガイドロッドは、複数の作用方式によって第一ブロックと共同作用し、第一ブロックの開口Ａ２１での伸縮機能を実現できればよい。図７と図８のように、ガイドロッドに斜面を有する凹部１０３が設けられ、第一ブロック５に突出ブロック１４が延出され、前記突出ブロック１４とガイドロッドの凹部１０３は、ガイドロッドの摺動によって第一ブロック５を伸縮させる。突出ブロック１４と第一ブロック５を一体化することができる。形は爪車のようなものであって、それとガイドロッドの底部に設けられる斜面を有する凹部１０３と共同作用し、単歯ラチェットと爪車の作業原理と似ている。前記第一ブロック５は、回転軸１５によって引掛け金具本体１に枢着され、前記弾力開閉装置にさらに第一ブロック５に復帰動力を提供するための第三弾力部品１２が設けられる。第三弾力部品１２の一端は、第一ブロック５を押さえつけ、他端は引掛け金具本体１に当てられ、第三弾力部品１２の使用は第一ブロック５をしっかりと復帰することを保証する。そのうち、前記ガイドロッドは一本でもよいし、二本でもよい。図７のように、前記ダクトは、ボタンが引掛け金具本体１と第一カバー２で形成されたスペース４内へ延出されるダクトＡ１０とダクトＢ１１を含む。ダクトＡ１０に斜面を有する凹部１０３が設けられて、第一ブロック５から延出される突出ブロック１４との共同作用で第一弾力部品６によって第一ブロック５を開口Ａ２１で伸縮できるようにする。前記ダクトＡ１０及びダクトＢ１１に第一ブロック５を復帰するための第一止めブロック１０１と第二止めブロック１１１が設けられる。
【００２２】
前記第二ブロック８は、引掛け金具本体１内で自由に摺動できるスライドロッド８２及び開口Ｂを貫通する突起部８１を含み、第二ブロックのスライドロッド８２と第二弾力部品９との共同作用によって第二ブロックの突起部８１が開口Ｂ２２でスライドするようにし、それにより第一ブロック５と第二ブロック８の間の距離を調整して、寸法の異なる掛けフックの固定を実現する。
【００２３】
図２、３、又は５のように、前記第二カバー３に開口Ｃ３２が設けられ、第一ブロックは、開口Ａ２１を介して開口Ｃ３２を貫通し、且つ開口Ｃ３２で伸縮することができる。第一ブロック５は、第二カバー２から延出され、第一カバー２と第二カバー３の間の隙間を狭くし、掛けフックがしっかりと引掛け金具に固定されることを保証する。その他、図４のように、前記第一ブロック５は、回転本体５１と回転主体５１に凸設される突起部５２が設けられ、前記開口Ａ２１は、開口Ｃ３２より大きく、第一ブロックの突起部５２は、開口Ｃ３２を貫通する（図２又は図３参照）。
【００２４】
前記開口Ｂの形は、様々なデザインを採用することができ、図５のように、前記開口Ｂ２２は棒状開口を呈し、その長さは、第二ブロック８の引掛け金具本体内で摺動できる最大距離にし、或いはそれより長いものにし、且つ幅が、第二ブロック８の第一カバー２から延ばされる突起部５２の幅よりやや大きくて、即ち第二ブロック８が開口Ｂ２２で自由に摺動できるようにする。それにより第一ブロック５と第二ブロック８の間の距離を調整し、引掛け金具本体内にあるその他の部品の露出を回避する。前記棒状開口Ｂは四辺のクローズされた開口でもいいし、図５のような一端が第一カバーのエッジに延ばされた開口でもよい。このように、第一ブロック５と第二ブロック８との距離が小さくて、寸法の小さい掛けフック１６に対応できると同時に、第二ブロック８の最大摺動距離を保証でき、異なる寸法の掛けフックに対応させる。
【００２５】
図５のように、前記第二カバー３の先端は、差込口４２に近いところで外反構造３１になり、利用者が掛けフックを容易に差込口４２に差し込めるようにする。
【００２６】
図９のように、前記第二カバーの内表面に棒状溝３３が設けられ、前記溝３３が棒状開口Ｂ２２に対向し、且つ溝の長さが棒状Ｂに等しい、或いはそれより長い。第一カバー２と第二カバーの溝３３の高さは、第二ブロックの突起部８１を収めることに用いられ、それで、第一カバー２と第二カバー３内表面のその他の間のスペースが小さくなり、緊密になる。掛けフックがさらに強く固定され、脱落しにくくなる。
【００２７】
前記第一弾力部品、第二弾力部品又は第三弾力部品は、従来の各技術を採用でき、簡単なものは、例えば、圧縮ばね、スプリングも使用可能である。図４のように、第一弾力部品と第二弾力部品は圧縮ばね、第三弾力部品はＶ字スプリングを採用し、図６のように、第一弾力部品６（圧縮ばね）の一端はダクトＡ１０に嵌設され、他端は引掛け金具本体内に当てられる。第二弾力部品９（圧縮ばね）の一端は、第二ブロック８に接続され、他端は、引掛け金具本体１内に当てられる。第三弾力部品１２（Ｖ字スプリング）の一端は、第一ブロック５に接続され、他端は、掛けフック本体１内に当てられる。
【００２８】
図のように、引掛け金具本体にバッフル１３が凸設され、前記バッフル１３は、第一カバー１と第二カバー２の側面に接触し、即ち掛けフック１６を差し込んだ後、バッフル１３が掛けフック１６の頂部に押さえられ、掛けフック１６が後ろに動くことを回避し、掛けフックが強く固定されることを保証する。
【００２９】
引掛け金具本体１と第一カバー２で形成されるスペースは、弾力開閉装置及び弾力位置決め装置を収めることに用いられる。上記の記載により、弾力開閉装置及び弾力位置決め装置には様々な形があるので、それに応じて、前記スペースも変える必要がある。例えば、引掛け金具本体１と第一カバー２に収納溝が凹設され、前記収納溝が複数の収納溝に分割され、収納溝は様々なデザインを採用することができる。弾力開閉装置及び弾力位置決め装置の安定作業を保証できればよく、収納溝に弾力開閉装置及び弾力位置決め装置を復帰するための部品が設けられる。例えば、その中の一つの収納溝を階段状にしてガイドロットＢの底部に設けられる第二止めブロック１１１と共同作業する。収納溝の壁に突出ブロックを設けることもでき、前記突出ブロックと第一止めブロック１０１の共同作業によってガイドロッドＡ１０を復帰させる。その他、その中の一つの収納溝を回りがクローズされたものにして弾力位置決め装置を収めることができ、弾力位置決め装置は該密封収納溝で自由に摺動して且つ安定に位置決めすることができる。
【００３０】
前記引掛け金具の作業原理は以下のとおりである。
【００３１】
図１のように、利用者が掛けフック１６を、引掛け金具の側面から第一カバー１と第二カバー２の間に差し込む。この際、側面からの力によって第一ブロックの突起部５２を回転させ、第一ブロックから延出された突出ブロック１４は、ガイドロッドＡ１０に設けられた斜面を有する凹部１０３でスライドする。第一ブロックの突起部５２は、第一カバー１に沈み、掛けフックが容易に差し込まれ、第一ブロック５が復帰する。この際、第二ブロック８は、圧縮ばね９によって第一ブロック５との距離を調整し、掛けフック１６を固定し、サイズの異なる掛けフックの差し込みを実現する。
【００３２】
巻尺を取り出す時、ボタン７を押し、ボタン７は、ガイドロットＡ１０とガイドロッドＢ１１のプッシュで圧縮ばね５を下向きに圧縮する。突出ブロック１４は、ガイドロッドＡの凹部９の斜面で回転し、第一ブロック５は、第一カバー１の開口Ａ２１から沈み、掛けフック１６を取り出したら、第一ブロック５は第一カバー１の開口Ａ２１から出される。
【００３３】
知るべきことは、示した実施例に記載されている巻尺引掛け金具の構造及び配置方法は、ただの例に過ぎない。本書では本発明の実施例を詳しく記載しているが、本明細書を読み取る本分野の技術者が、特許請求の範囲に記載の課題の斬新な特徴を、実質的に脱離しない条件下で様々な変更（例えば複数種類の部品と組立品の寸法、構造、形状及び比例、パラメータ、取り付け構造、材料、色、方位等）を実施できることが判断できる。そのため、全ての変更は特許請求の範囲の範囲内とする。
【００３４】
［付記］
［付記１］
引掛け金具本体（１）を含み、引掛け金具本体に第一カバー（２）と第二カバー（３）が設けられ、第一カバー（２）と第二カバー（３）で形成されたスペース（４）は巻尺の掛けフック（１６）の差し込みに用いられ、第一カバーに開口Ａ（２１）と開口Ｂ（２２）が設けられ、引掛け金具本体（１）と第一カバー（２）で形成されたスペースに弾力開閉装置及び弾力位置決め装置が設けられ、弾力開閉装置は第一ブロック（５）、第一弾力部品（６）及び該弾力部品に作用するボタン（７）を含み、第一ブロック（５）はボタン（７）の作用によって開口Ａ（２１）で伸縮でき、弾力位置決め装置は第二ブロック（８）を含み、第二ブロック（８）は第二弾力部品（９）によって摺動的に引掛け金具本体（１）に接続され、前記第二ブロック（８）の一部は第一カバーの開口Ｂ（２２）を貫通して第一ブロック（５）とで掛けフック（１６）を固定する、
ことを特徴とする巻尺引掛け金具。
【００３５】
［付記２］
前記第一カバー（２）と第二カバー（３）は、引掛け金具本体に固設され、且つ第一カバー（２）と第二カバー（３）の一端は固定されて密封端（４１）が形成され、前記密封端（４１）は第二ブロック（８）に近づき、他端は開口状をして巻尺掛けフック差し込み用差込口（４２）が形成され、前記差込口は第一ブロック（５）に近づく、
ことを特徴とする付記１に記載の巻尺引掛け金具。
【００３６】
［付記３］
前記ボタン（７）は引掛け金具本体（１）と第一カバー（２）とで形成されたスペースにおいてガイドロッドが延出され、前記ガイドロッドは第一弾力部品（６）によって引掛け金具本体（１）に当てられ、ガイドロッドに引掛け金具本体（１）に合う止めブロックが設けられる、
ことを特徴とする付記１に記載の巻尺引掛け金具。
【００３７】
［付記４］
前記ガイドロッドに斜面を有する凹部（１０３）が設けられ、第一ブロック（５）に突出ブロック（１４）が延出され、前記突出ブロック（１４）とガイドロッドの凹部（１０３）はガイドロッドの摺動によって第一ブロック（５）を伸縮させる、
ことを特徴とする付記３に記載の巻尺引掛け金具。
【００３８】
［付記５］
前記第一ブロック（５）は回転軸（１５）によって引掛け金具本体（１）に枢着され、前記弾力開閉装置にさらに第一ブロック（５）に復帰動力を提供するための第三弾力部品（１２）が設けられる、
ことを特徴とする付記１に記載の巻尺引掛け金具。
【００３９】
［付記６］
前記第二カバー（３）に開口Ｃ（３２）が設けられ、第一ブロック（５）は開口Ａ（２１）によって開口Ｃ（３２）を貫通して且つ開口Ｃ（３２）で伸縮することができる、
ことを特徴とする付記１に記載の巻尺引掛け金具。
【００４０】
［付記７］
前記第二カバー（３）の先端は差込口（４２）に近いところで外反構造（３１）になる、
ことを特徴とする付記２に記載の巻尺引掛け金具。
【００４１】
［付記８］
前記開口Ｂ（２２）は棒状を呈する、
ことを特徴とする付記１に記載の巻尺引掛け金具。
【００４２】
［付記９］
前記第一ブロック（５）は回転本体（５１）と回転本体（５１）に凸設される突起部（５２）を含み、前記開口Ａ（２１）は開口Ｃ（３２）より大きく、前記第一ブロック（５）の突起部（５２）は開口Ａ（２１）によって開口Ｃ（３２）を貫通する、
ことを特徴とする付記６に記載の巻尺引掛け金具。
【００４３】
［付記１０］
前記ボタン（７）は引掛け金具本体と第一カバー（２）で形成されたスペースでダクトＡ（１０）とダクトＢ（１１）が延出され、ダクトＡ（１０）に斜面を有する凹部（１０３）が設けられ、第一ブロック（５）に突起（１４）が延出され、前記突出ブロック（１４）とガイドロッドＡ（１０）の凹部（１０３）はダクトＡ（１０）とダクトＢ（１１）の摺動によって第一ブロック（５）を伸縮させ、第一ブロック（５）は回転軸（１５）によって引掛け金具本体（１）に枢着され、前記弾力開閉装置にさらに第一ブロック（５）に復帰動力を提供するための第三弾力部品（１２）が設けられ、前記第三弾力部品（１２）の一端は第一ブロック（５）に当てられ、他端は引掛け金具本体（１）に当てられ、前記第二ブロック（８）は引掛け金具本体（１）内で自由に摺動できる摺動ロッド（８２）及び摺動ロッド（８２）に設けられて且つ開口Ｂ（２２）を貫通する突起部（８１）を含み、第二ブロック（８）は第二弾力部品（９）によって第一ブロック（５）との間の距離を調整する、
ことを特徴とする付記２に記載の巻尺引掛け金具。
【図１】
2019023604.tif 000003
【図２】
2019023604.tif 000004
【図３】
2019023604.tif 000005
【図４】
2019023604.tif 000006
【図５】
2019023604.tif 000007
【図６】
2019023604.tif 000008
【図７】
2019023604.tif 000009
【図８】
2019023604.tif 000010
【図９】
2019023604.tif 000011
【手続補正書】
【提出日】平成30年8月30日(2018.8.30)
【手続補正１】
【補正対象書類名】特許請求の範囲
【補正対象項目名】請求項１０
【補正方法】変更
【補正の内容】
【請求項１０】
前記ボタンは引掛け金具本体と第一カバーで形成されたスペースでダクトＡとダクトＢが延出され、ダクトＡに斜面を有する凹部が設けられ、第一ブロックに突出ブロックが延出され、前記突出ブロックとガイドロッドＡの凹部はダクトＡとダクトＢの摺動によって第一ブロックを伸縮させ、第一ブロックは回転軸によって引掛け金具本体に枢着され、前記弾力開閉装置にさらに第一ブロックに復帰動力を提供するための第三弾力部品が設けられ、前記第三弾力部品の一端は第一ブロックに当てられ、他端は引掛け金具本体に当てられ、前記第二ブロックは引掛け金具本体内で自由に摺動できる摺動ロッド及び摺動ロッドに設けられて且つ開口Ｂを貫通する突起部を含み、第二ブロックは第二弾力部品によって第一ブロックとの間の距離を調整する、 
ことを特徴とする請求項２に記載の巻尺引掛け金具。